(57)【要約】【課題】  防水機能を備えたエレベータ用の押ボタンスイッチを提供する。【解決手段】    透明なボタントップを有し内部に扁平なダイヤ板４と文字板５を内蔵する押ボタン取付台７に載置された押ボタン部Ａと、その下面に配置されたランプベース１４を内蔵した接点部本体９を備えるスイッチ部Ｂとからなる押ボタンスイッチであって、押ボタン部Ａと接点部本体９との間に透明なシリコン製透かし板１１を密着して介在した。該透かし板は接点部本体９内の段部９ａに差し渡し状に介装され、段部の内壁９ｂとその外周囲が密着し、その上面に押さえ枠板１２が積層されている。【選択図】  図１
2011175883.tif 000002
【特許請求の範囲】
【請求項１】
透明なボタントップを有し内部に扁平なダイヤ板と文字板を内蔵する押ボタン取付台に載置された押ボタン部と、その下面に配置されたランプベースを内蔵した接点部本体を備えるスイッチ部とからなる押ボタンスイッチであって、押ボタン部と接点部本体との間に透明なシリコン製透かし板を密着して介在したことを特徴とするエレベータ用防水型押ボタンスイッチ。
【請求項２】
前記透かし板は、接点部本体内の段部に差し渡し状に介装され、段部の内壁にその外周囲が密着し、その上面に押さえ枠板が積層されている請求項１に記載のエレベータ用防水型押ボタンスイッチ。
【発明の詳細な説明】
【技術分野】
【０００１】
本発明は、エレベータの利用者による操作入力を受けるエレベータ用押ボタンスイッチに係わり、スイッチ部を構成するランプベースの内部に水の侵入を防止する防水型押ボタンスイッチに関する。
【背景技術】
【０００２】
大型船舶に設置されたエレベータや駅などの屋外に設置されたエレベータ、或いは屋内のエレベータでも貨物用や厨房用などでは絶えず押ボタンスイッチが水の侵入の危険にさらされるため、防水構造が望まれる。
一般に、押ボタンスイッチは表面パネルの取付孔から押ボタン部を露出させた状態で使用されている。そこで、エレベータ内の清掃時や屋外のエレベータなどでは荒天時には押ボタンと押ボタンのカバー部との間から水が浸入するおそれがあり、水の侵入によりスイッチの接点が接触不良となったり、照光用の光源がショートしたりする不具合がある。
【０００３】
そこで、エレベータ用の押ボタンスイッチで、水や塵芥がボタン内部のスイッチ部に浸入するのを防ぐため例えば、特許文献１の特開２００６−３３１８１３号公報に示される、環状のシール部材を介在したものがある。また、特許文献２の特開平１０−１４９７３５号公報に示される、キースイッチの下部にゴム製の防塵兼緩衝材を嵌め、更にスイッチ取付板の上面に板状の防塵兼緩衝材を介在したものが見受けられる。
【０００４】
しかし、特許文献１に見られるシール部材を介在する場合、シール部材自体に更に防水性を持たせなければならず、可動シール部と固定シール部とで部材の厚みを変えるなどシール部材自体が複雑で高価なものとなっている。更に、特許文献１や２に見られる手段では、屋外等に設置されるエレベータでは押ボタンスイッチ内のシール材が気温や天候等の影響で劣化しやすく防水性が維持しにくい上、長期の安定した使用は期待できず、メンテナンスに手間を要するものとなる。
【先行技術文献】
【特許文献】
【０００５】
【特許文献１】特開２００６−３３１８１３号公報
【特許文献２】特開平１０−１４９７３５号公報
【発明の概要】
【発明が解決しようとする課題】
【０００６】
そこで、本発明は押ボタンスイッチの構造を大きく変えることなく簡単な構成で防水性を維持でき、しかも長期使用に耐え得るエレベータ用の防水型押ボタンスイッチを提供しようとするものである。
【課題を解決するための手段】
【０００７】
上記目的を達成するため、本発明は透明なボタントップを有し扁平なダイヤ板と文字板を内蔵する押ボタン取付台に載置された押ボタン部と、その下面に配置されたランプベースを内蔵した接点部本体を備えるスイッチ部とからなる押ボタンスイッチであって、押ボタン部と接点部との間に透明なシリコン製透かし板を密着して介装したことを特徴とする。
【０００８】
請求項２記載の発明は、前記透かし板は接点部本体内の段部に差し渡し状に介装され、段部の内壁にその外周囲が密着し、その上面に押さえ枠板を積層したことを特徴とする。
【発明の効果】
【０００９】
本発明によれば、透かし板はシリコン製の透明板であり、接点部本体内部と密着し、内部基盤のランプベースに水が浸入するのを防止するパッキンの機能を果たし、且つこの透かし板はランプベースに取付けたＬＥＤの光を透過しボタントップを照光する。さらに、該透かし板は柔軟性のあるシリコン製であるため押ボタンの押圧力を受けた際、接点部本体内のスイッチ押え板を面の状態で押し下げるため、スイッチの円滑な作動に良好に寄与することができる。更に、本発明では押ボタン部とスイッチ部を分離することができ、ボタン部の汚れや毀損などの際にはボタン部のみ交換することが可能となる。
【図面の簡単な説明】
【００１０】
【図１】本発明の押ボタンスイッチを示す断面面である。
【図２】押ボタン部の部品構成を示す分解斜視図である。
【図３】スイッチ部の部品構成を示す分解斜視図である。
【発明を実施するための形態】
【００１１】
以下、本発明を図示する実施形態により具体的に説明する。図１は、本発明の一実施形態の防水型押ボタンスイッチ（以下、単に「押ボタンスイッチ」という。）の構成の縦断面を示しており、１は表面プレート２に取付けられた押ボタンスイッチを示し、該押ボタンスイッチ１は、全体を大別し、押ボタン部Ａとスイッチ部Ｂよりなる。押ボタン部Ａは、表面プレート２面に露出するボタントップ３１を有する透明な材料からなる押ボタン３が、支持枠体３０の内部に扁平で透明なダイヤ板４と文字板５とを積層し、基部３２が取付枠台６を介在して押ボタン取付台７に支持されている。８は押ボタン３のカバー部材である。
【００１２】
前記押ボタン部Ａの下面にはスイッチ部Ｂが連結され、全体として押ボタンスイッチ１を構成している。押ボタン部Ａの取付枠台６の下面には接点部本体９が取り付けられる。該接点部本体９は、上面に透明な連結ボタン１０が載置され、透明なシリコン製の透かし板１１が押え枠板１２により接点部本体９の内部の段部９ａに密着して介装され、透かし板１１の外周囲は段部９ａの内壁９ｂに密接して設けられている。このシリコン製の透かし板１１は押ボタン部Ａから外部の水等がスイッチ部Ｂに浸入するのを防止している。
【００１３】
また、前記シリコン製の透かし板１１に接して接点部本体９内には透明なスイッチ押え板１３が介装され、該スイッチ押え板１３の底面１３ａがランプベース１４に接触するようスプリング１５を介装して収納されている。該ランプベース１４は、接点部本体９内の底部に照明用のＬＥＤ１６を取り付けた内部基盤１７を備えている。
【００１４】
また、押ボタン部Ａとスイッチ部Ｂの間には戻し用のスプリング１８が介装されている。即ち、接点部本体９の段部９ａには複数のスプリング１８が介装され、押ボタン３を押圧力に抗して戻す方向に付勢している。
【００１５】
次に、本発明の押ボタンスイッチの作動を説明する。
エレベータ利用者が押ボタン３のボタントップ３１を押すと、押ボタン取付台７に支持された押ボタン基部３２によりスプリング１８の弾発に抗して押ボタン３内に収納された連結ボタン１０が下降し、その底面中央に形成された凸面１０ａがスイッチ部Ｂを構成する接点部本体９に差し渡されている透かし板１１面を押圧する。
【００１６】
透かし板１１が押圧されると下面に収納されているスイッチ押え板１３が押されて下降し、その底面１３ａがランプベース１４内の内部基盤１７のスイッチ回路（図示略）に接し、光源ＬＥＤ１６を発光させる。
【００１７】
ＬＥＤ１６の発光は、透明なスイッチ押え板１３、透明な透かし板１１、更に透明な連結ボタン１０を透して透明な押ボタン３に達し、ボタントップ３１を照光させる。即ち、ＬＥＤ１６の発光は、押ボタン３内部にあって文字板５を介し透明なダイヤ板４を透過してボタントップ３１に至る。
【００１８】
尚、押ボタン３の押圧を解くと、前記の作動と逆にスプリング１８の弾発にて押ボタン部Ａが戻り動し、押ボタン部Ａとスイッチ部Ｂの接点部本体９とが離開し、ランプベース１４内の内部基盤１７での通電が解除され、ＬＥＤの発光が終了する。
【００１９】
本発明にあっては、接点部本体内９の段部９ａに透明なシリコン製の透かし板１１を差し渡してその周囲を段部９ａの内壁９ｂに密着させ、その上に押え枠板１２を積層したことにより、この透かし板１１は外部からの水の浸入に対しパッキンの作用をし、ランプベース内への水の浸入を防いでいる。
【００２０】
また、透かし板１１はシリコン材料にて形成されるため柔軟性を維持しており、押ボタン３が押されたとき下降する連結ボタン１０の中央にある凸面１０ａに押し圧された際、押し圧力を均等に分散し、下面のスイッチ押え板１３に面接触の状態で伝達できることでスイッチの円滑な作動を得る。
【００２１】
尚、透かし板１１は透明なシリコン製であるため、ランプベース１４内のＬＥＤの発光を透過し得、透光部材であると共に防水部材の機能を果たす。
【００２２】
本発明では、押ボタンスイッチを構成する押ボタン部Ａとランプベースを内蔵したスイッチ部が分離できる構成であるため、押ボタン部が毀損したり汚れた場合にはスイッチ部はそのままで押ボタン部のみ交換することができ、ユーザーのコスト負担の軽減に寄与できる。
【符号の説明】
【００２３】
１    押ボタンスイッチ
２    表面プレート
３    押ボタン
３１  ボタントップ
３２  基部
４    ダイヤ板
５    文字板
６    取付枠台
７    押ボタン取付台
８    カバー部材
９    接点部本体
９ａ  段部  
９ｂ  内壁
１０  連結ボタン
１１  透かし板
１２  押え枠板
１３  スイッチ押え板
１４  ランプベース
１５、１８  スプリング
１６  ＬＥＤ
１７  内部基盤
Ａ    押ボタン部
Ｂ    スイッチ部
【図１】
2011175883.tif 000003
【図２】
2011175883.tif 000004
【図３】
2011175883.tif 000005